(57)【要約】【課題】貯湯タンク内に中温水が生じた状態で沸上運転を行った際に発生するヒートポンプユニットの成績係数の低下を抑制することにより沸上運転の消費電力量の上昇を抑制する貯湯式給湯装置を得ること。【解決手段】貯湯式給湯装置１は、水を沸き上げて湯に変換する熱交換器１２を有するヒートポンプユニットＡと、熱交換器１２により沸き上げられた湯を貯留する貯湯タンク２０と、貯湯タンク下部２１から熱交換器１２へ水を流入して熱交換器１２から流出した湯を貯湯タンク上部２２に戻す循環回路３０と、を備え、熱交換器１２に流入する水に貯湯タンク側部２４に設けられた取水口２３から引き抜いた中温水を混合する混合弁３６を有し、混合弁３６により取水口２３から引き抜いた中温水の流量を調整して沸上運転を行う。【選択図】        図１
2009186065.tif 000002
【特許請求の範囲】
【請求項１】
水を沸き上げて湯に変換する熱交換器を有するヒートポンプユニットと、前記熱交換器により沸き上げられた湯を貯留する貯湯タンクと、前記貯湯タンクの下部から前記熱交換器へ水を流入させて該熱交換器から流出した湯を前記貯湯タンク上部に戻す循環回路と、を備えた貯湯式給湯装置であって、
前記循環回路を流れる水に前記貯湯タンクの側部に設けられた取水口から引き抜いた中温水を混合する混合弁を有し、該混合弁により前記取水口から引き抜いた中温水の流量を調整して沸上運転を行うことを特徴とする貯湯式給湯装置。
【請求項２】
前記沸上運転の際に、前記熱交換器に供給される水の温度が基準値以下になるように前記混合弁の開度調整を行うことを特徴とする請求項１に記載の貯湯式給湯装置。
【請求項３】
前記混合弁が三方弁であることを特徴とする請求項１または２に記載の貯湯式給湯装置。
【請求項４】
前記中温水を引き抜く複数個の取水口が、前記貯湯タンク側部での上下方向に分散して形成されることを特徴とする請求項１〜３のいずれか１つに記載の貯湯式給湯装置。
【発明の詳細な説明】
【技術分野】
【０００１】
本発明は、貯湯式給湯装置に関するものである。
【背景技術】
【０００２】
貯湯式給湯装置では、貯湯タンクの下部から水を取り出して、ヒートポンプユニットなどでこの水を沸き上げ、沸き上げた湯を貯湯タンクの上部から該貯留タンクに戻して貯留する。このとき、貯湯タンクの下部には水層が形成されるのに対して、貯湯タンクの上部には湯層が形成される。また、湯層と水層の間には、中温水から成る中温水層が形成される。この中温水層が貯湯タンクの下部にまで拡大すると、貯湯タンクの下部から取り出される水の温度が比較的高くなる。
【０００３】
例えば、水を湯に沸き上げて貯湯タンクに貯留する沸上運転が終了してからの経過時間が長いほど、上記中温水層が貯湯タンクの下部まで拡大しやすくなる。また、貯湯タンクに貯留した湯と浴槽水とを熱交換器に供給して両者の間で熱交換させることにより浴槽水を追い焚きすると、熱交換により温度低下した湯が貯湯タンクに戻されることから、上記中温水層が貯湯タンクの下部まで拡大しやすくなる。一度温くなった浴槽水を貯湯タンク内の湯を利用して所望温度に加温するときに上記中温水層の生成が抑制されるように、例えば特許文献１に示す貯湯式給湯装置では、浴槽水の追い焚きをせずに、温くなった浴槽水を所定量排出した後に貯湯タンク内の高温の湯を所定量足し湯することで浴槽水を所望温度に加温している。
【０００４】
【特許文献１】特開２００７−１２７３６３号公報
【発明の開示】
【発明が解決しようとする課題】
【０００５】
しかしながら、特許文献１に示す貯湯式給湯装置では、貯湯タンク内の高温の湯を足し湯しない場合、沸上運転の早期から比較的高温の水で沸上運転を行わなければならず、沸上運転にかかる消費電力量の上昇を避けることができなかった。
【０００６】
本発明は上記の事情に鑑みてなされたものであり、貯湯タンク内に中温水が生じた状態で沸上運転を行った際に起こるヒートポンプユニットの成績係数の低下を抑制することができる貯湯式給湯装置を得ることを目的とする。
【課題を解決するための手段】
【０００７】
上述した課題を解決し、目的を達成するために、本発明の貯湯式給湯装置は、水を沸き上げて湯に変換する熱交換器を有するヒートポンプユニットと、熱交換器により沸き上げられた湯を貯留する貯湯タンクと、貯湯タンクの下部から熱交換器へ水を流入させて該熱交換器から流出した湯を貯湯タンク上部に戻す循環回路と、を備えた貯湯式給湯装置であって、循環回路を流れる水に貯湯タンクの側部に設けられた取水口から引き抜いた中温水を混合する混合弁を有し、該混合弁により取水口から引き抜いた中温水の流量を調整して沸上運転を行うことを特徴とする。
【発明の効果】
【０００８】
この発明の貯湯式給湯装置では、中温水を貯湯タンク内から引き抜いて、循環回路を流れる水に当該中温水を混入させることができるとともに、このときの中温水の混入量を混合弁により調整することができる。そのため、貯湯タンク下部の水温が低い間は、循環回路を流れる水にヒートポンプユニットの成績係数が低下しない範囲で中温水を混入させて、ヒートポンプユニットの成績係数が低下する温度の水を用いて沸き上げ運転をしなければならない時間を短縮させることが可能になる。これにより、熱交換器に流入する水が高温となることに起因するヒートポンプユニットの成績係数の低下を抑制し、沸上運転の消費電力量の上昇を抑制することができる。
【発明を実施するための最良の形態】
【０００９】
以下に、本発明にかかる貯湯式給湯装置の実施の形態を図面に基づいて詳細に説明する。なお、この発明は、下記の実施の形態に限定されるものではない。
【００１０】
実施の形態１．
図１は、本発明にかかる貯湯式給湯装置の実施の形態１の構成図である。同図に示すように、実施の形態１の貯湯式給湯装置１は、ヒートポンプユニットＡと、貯湯タンクユニットＢとを備えている。
【００１１】
ヒートポンプユニットＡでは、圧縮機１１と、熱交換器１２と、膨張弁１３と、蒸発器１４とが配管１５で順次接続されて、冷凍サイクルを構成している。ヒートポンプユニットＡは、圧縮機１１により増圧されて熱を帯びた冷媒が熱交換器１２に流入して、後述する熱交換器１２を通る貯湯タンクユニットＢの循環回路３０の水と熱交換を行う。これにより、熱交換器１２から流出する循環回路３０内の水が湯に沸き上げられる。熱交換器１２で上記の水と熱交換した冷媒は、膨張弁１３により減圧され、蒸発器１４により熱が排出される。ヒートポンプユニットＡの動作は、後述する制御装置４０の制御部４１により制御される。
【００１２】
貯湯タンクユニットＢは、貯湯タンク２０と、循環回路３０と、制御装置４０とを有している。貯湯タンクユニットＢは、熱交換器１２に水を流入させ、該熱交換器１２で沸き上げられた湯を貯留して外部へ供給するためのものである。貯湯タンク２０の下部には、外部からの水の流路となる外部給水管３７の一端が接続されており、外部給水管３７の他端は水道等の水源に接続される。また、貯湯タンク２０の上部には、外部への湯の流路となる外部給湯管３８の一端が接続されており、外部給湯管３８の他端には図示しない給湯栓などが設けられている。使用者がこの給湯栓を開くことにより、所定量の湯が貯湯タンク２０から供給される。
【００１３】
貯湯タンク２０は、外部給水管３７から供給された水と、熱交換器１２により沸き上げられた湯とを貯留するためのタンクである。貯湯タンク下部２１には、外部給水管３７と、循環回路３０の一端とが接続されている。また、貯湯タンク上部２２には、外部給湯管３８と、循環回路３０の他端とが接続されている。貯湯タンク側部２４には、取水口２３が設けられている。取水口２３には、中温水管３５が接続されている。貯湯タンク２０での取水口２３の形成位置は、貯湯式給湯装置１のメーカにより設定され、貯湯タンク２０内に形成される中温水層の位置を考慮して設けられる。貯湯タンク２０は、外部給水管３７から供給される水により常時満水状態に保たれている。
【００１４】
循環回路３０は、配管部３１と、循環ポンプＰとを有している。配管部３１は、沸上運転時に貯湯タンク下部２１から熱交換器１２に水を流入させるとともに、熱交換器１２により沸き上げられた湯を貯湯タンク上部２２へ戻すための配管である。配管部３１は、第１配管部３１ａと、第２配管部３１ｂと、第３配管部３１ｃとを含んでいる。
【００１５】
第１配管部３１ａと第２配管部３１ｂとは、熱交換器１２に水を流入させるための配管である。第１配管部３１ａは、上流側の端部が貯湯タンク下部２１と接続され、下流側の端部が混合弁３６と接続されている。第２配管部３１ｂは、上流側の端部が混合弁３６と接続され、下流側の端部が熱交換器１２と接続されている。従って、第１配管部３１ａと、第２配管部３１ｂとは、混合弁３６の上流側と下流側とに分かれている。第３配管部３１ｃは、熱交換器１２により沸き上げられた湯を貯湯タンク上部２２へ戻すための配管である。第３配管部３１ｃは、上流側の端部が熱交換器１２に接続され、下流側の端部が貯湯タンク上部２２に接続されている。
【００１６】
循環ポンプＰは、第２配管部３１ｂに設けられており、第２配管部３１ｂ内の水を昇圧することにより、循環回路３０内の水を循環させるためのものである。循環ポンプＰには、後述する制御装置４０の制御部４１が接続され、制御部４１により動作制御される。
【００１７】
中温水管３５は、取水口２３から取り出された中温水を混合弁３６に流入させるための配管である。中温水管３５は、上流側の端部が取水口２３に接続され、下流側の端部が混合弁３６の流入口に接続されている。
【００１８】
混合弁３６は、閉から開方向に切り替えることにより第１配管部３１ａ内の水に中温水管３５内の中温水を混合するための三方弁である。混合弁３６には、上流側にある２つの流入口に中温水管３５と第１配管部３１ａとが接続され、下流側にある流出口に第２配管部３１ｂが接続されている。混合弁３６は、後述する制御装置４０の制御部４１と接続されており、制御部４１により動作制御される。混合弁３６は、制御部４１から開度調整の信号を受けた際に弁開度を調節する。これにより、第１配管部３１ａからの水と中温水管３５からの中温水との混合量を調整する。つまり、混合弁３６は、第１配管部３１ａから第２配管部３１ｂに流入する水の流量と、中温水管３５から第２配管部３１ｂに流入する中温水の流量とを調整する。
【００１９】
温度検出センサＴは、第２配管部３１ｂに設けられ、第２配管部３１ｂ内の水の温度を検出する。温度検出センサＴは、後述する制御装置４０の制御部４１と接続されており、沸上運転が行われている間、第２配管部３１ｂ内を流れる水の温度を周期的に検出して検出結果を制御装置４０に出力する。
【００２０】
制御装置４０は、同一の制御基板上に設けられた制御部４１と記憶部４２とを有する。制御部４１は、記憶部４２に格納された情報と、図示しない操作部から伝えられた制御情報などを用いて、ヒートポンプユニットＡと、貯湯タンクユニットＢとの動作を制御する。制御部４１は、ヒートポンプユニットＡ、混合弁３６、循環ポンプＰ、温度検出センサＴなどに接続されている。
【００２１】
制御部４１は、記憶部４２に格納された情報と、図示しない貯湯タンク２０内に設けられたタンク温度検出センサにより検出した貯湯タンク内温度の検出結果などをもとに、ヒートポンプユニットＡと循環ポンプＰとの動作を制御して所定量の湯を貯湯タンク２０に貯留する制御を行う。
【００２２】
また、制御部４１は、記憶部４２に格納されている情報と、温度検出センサＴにより検出した水温の検出結果とを用いて、混合弁３６の弁開度の制御を行う。ここで使用する上記の情報とは、温度検出センサＴからの水温の検出結果の出力周期や、温度検出センサＴの検出結果と混合弁３６の弁開度との関係を示す情報や、混合弁３６の開度調整を行う際の水温の基準値などである。上記各情報は、例えばメーカにより貯湯式給湯装置１のメーカにより予め記憶部４２に格納される。
【００２３】
混合弁３６の開度調整を行う際の水温の基準値の決定方法について説明する。図２は、水温とヒートポンプユニットの成績係数（ＣＯＰ）との関係の一例を示す図である。図２に示すように、ヒートポンプユニットの成績係数は、ヒートポンプユニットの熱交換器に流入する水の温度が概ね２０℃以下で高い数値を維持している一方で、水温が２０℃を超えると急激に低下している。つまり、図２は、ヒートポンプユニットの熱交換器に供給される水の温度が略２０℃以下となるようにして沸上運転を行うと、ヒートポンプユニットの成績係数の低下が抑制されることを表している。
【００２４】
図１に示す制御部４１は、貯湯タンク２０内に中温水層がある状態で沸き上げ運転を行う際に、熱交換器１２へ流入する水の温度の基準値を略２０℃に設定して、熱交換器１２に流入する水の温度が基準値に近い温度となるように混合弁３６の弁開度を制御する。
【００２５】
ここで、制御部４１による混合弁３６の開度調整制御の一例について説明する。まず、制御部４１は、沸上運転が開始されているか否かを判断する。制御部４１は、沸上運転が開始されていないと判断したときには混合弁３６の開度調整の制御を行わず、沸上運転が開始されていると判断したときには混合弁３６の開度調整の制御を開始する。
【００２６】
混合弁３６の制御を開始した制御部４１は、温度検出センサＴによる水温の検出結果を取得して、第２配管部３１ｂ内の水温が基準値以上であるか否かを判断する。検出された水温が基準値より低いと判断すると、制御部４１は、混合弁３６の弁開度が所定開度比率分だけ開くように当該混合弁３６に開度調整信号を出力して、第１配管部３１ａからの水の流量に対する中温水管３５からの中温水の流量を増大させる。一方、検出された水温が基準値より高いと判断すると、制御部４１は、混合弁３６の弁開度が所定開度比率分だけ閉じるように当該混合弁３６に開度調整信号を出力して、第１配管部３１ａからの水の流量に対する中温水管３５からの中温水の流量を減少させる。制御部４１は、温度検出センサＴにより検出される水温が上昇して混合弁３６が全閉状態となるまで、混合弁３６の弁開度の調整を繰り返す。制御部４１は、温度検出センサＴにより検出される水温が前述の基準値を超えない範囲で、第１配管部３１ａからの水に中温水管３５からの中温水を混入させる制御を行う。次に、図１に示した貯湯式給湯装置１での沸上運転の動作について説明する。
【００２７】
貯湯式給湯装置１では、沸上運転開始時に、制御装置４０内の図示しない操作部によりユーザが設定する操作設定や、予め記憶部４２に設定された沸上運転開始時刻などを受けて制御部４１がヒートポンプユニットＡと循環ポンプＰとに運転開始信号を出力する。貯湯タンク２０内に前回の沸上運転時に生成された湯が残存していた場合、沸上運転開始時の貯湯タンク２０内には、その上部に湯層が形成され、その下部に水層が形成され、これら湯層と水層との間には中温水層が形成されているが、沸上運転開始時には貯湯タンク２０の下部に形成されている水層の水が貯湯タンク下部２１から循環回路３０に流入する。
【００２８】
次いで、制御部４１が混合弁３６の弁開度の制御を開始して、温度検出センサＴにより検出される水温を基準値に近い温度にする。貯湯タンク２０内の中温水が中温水管３５から混合弁３６を介して循環回路３０に流入する。
【００２９】
沸上運転の開始から時間が経過するにつれて、貯湯タンク上部２２に戻された湯により貯湯タンク２０内の湯層が貯湯タンク下部２１の方向に拡大するため、貯湯タンク下部２１から循環回路３０に流入する水の温度が徐々に上昇する。図２を用いて既に説明したように、熱交換器１２に供給される水の温度がある程度以上高くなるとヒートポンプユニットＡの成績係数が急激に低下するが、貯湯式給湯装置１では制御部４１が前述のように混合弁３６を制御するので、中温水管３５により中温水を引き抜かない場合と比較して、熱交換器１２に供給される水の温度がヒートポンプユニットＡの成績係数を急激に低下させる温度になるまでに要する時間が長くなる。
【００３０】
貯湯タンク２０には、図示しない貯湯温度センサが設けられており、貯湯温度センサにより検出された湯の温度が一定温度に達すると、制御部４１は、貯湯タンク２０内に必要量の湯が確保されていると判断して、沸上運転を終了する。
【００３１】
図３は、沸上運転時の積算消費電力量と水温との関係の一例を示す図である。図３に示すように、実線Ｑで示す貯湯式給湯装置１では、中温水管３５から混合弁３６を介して循環回路３０に流入する中温水の影響により、熱交換器１２に供給される水の温度が比較的早期に基準値Ｔｓまで上昇するが、その後は制御部４１により基準値Ｔｓを超えない範囲で中温水の流入量が制御されることから、時間ｑ１まで基準値Ｔｓ付近で概ね一定となる。そして、時間ｑ１から沸上終了までは、貯湯タンク内の湯層の拡大により、熱交換器１２に供給される水の温度が急激に上昇する。ただし、一点鎖線Ｒで示す従来の貯湯式給湯装置、すなわち沸上運転時に中温水を引き抜かない貯湯式給湯装置に比べれば、熱交換器１２に供給される水の温度が基準値Ｔｓ以下に維持される時間が長く（ｑ１＞ｒ１）なる。
【００３２】
熱交換器１２に供給される水の温度が基準値Ｔｓ以下に維持されているときの積算消費電力量は、ヒートポンプユニットＡで高い成績係数が得られることから、沸上時間に対して一定の上昇率を示し、上記の水温が基準値Ｔｓを超えたときの積算消費電力は、ヒートポンプユニットＡの成績係数が低下することから、急激に上昇する。一点鎖線Ｒで示す従来の貯湯式給湯装置では、沸上運転開始から沸上運転終了までの時間の約３分の１の時間に相当する時刻ｒ１から沸上運転終了までの時間帯で水温が急激に上昇するとともに積算消費電力量が急激に上昇する。これに対して、実線Ｑで示す貯湯式給湯装置１では、上記の水温が基準値Ｔｓ以下に維持される時間が長い（ｑ１＞ｒ１）ことから、従来の貯湯式給湯装置に比べて積算消費電力量がＮだけ小さくなる。
【００３３】
つまり、貯湯式給湯装置１は、貯湯タンク２０内に中温水が生じている状態で沸上運転を行った際に、ヒートポンプユニットＡの成績係数の低下を抑制し、結果として、沸上運転時の消費電力量を抑制する。
【００３４】
なお、実施の形態１では、基準値Ｔｓを１点としているが、本発明はこれに限定されるものではない。例えば、混合弁３６の弁開度を所定開度比率分だけ上げて中温水管３５から循環回路３０に流入する中温水の流量を増大させる基準値Ｔｓｌと、混合弁３６の弁開度を所定開度比率分だけ下げて中温水管３５から循環回路３０に流入する中温水の流量を減少させる基準値Ｔｓｈとの２つの基準値を用いることもできる。また、沸上運転の終了を判断する湯温度の検出手段として図示しない貯湯温度センサを用いているが、本発明はこれに限定されるものではなく、例えば温度検出センサＴが貯湯温度センサを兼ねていてもよい。
【００３５】
実施の形態２．
図４は、本発明にかかる貯湯式給湯装置の実施の形態２の構成図である。図４に示す貯湯式給湯装置１００は、第２取水口１２３と、第２中温水管１３５と、給湯切替弁１５１と、バイパス配管１５２と、第１電磁弁１５３と、第２電磁弁１５４とを有する以外は図１に示す貯湯式給湯装置１と同様の構成を有する。また、図１に示した第３配管部３１ｃは、給湯切替弁１５１の上流側の上流側第３配管部３１ｃｕと、下流側の下流側第３配管部３１ｃｄとに分かれている。図４に示す構成部材のうちで図１に示した構成部材と機能上共通するものについては、図１で用いた参照符号と同じ参照符号を付してその説明を省略する。
【００３６】
給湯切替弁１５１は、閉から開に切り替えることにより上流側第３配管部３１ｃｕからバイパス配管１５２に水を流入させ、開から閉に切り替えることにより上流側第３配管部３１ｃｕから下流側第３配管部３１ｃｄに水を流入させる三方弁である。給湯切替弁１５１は、上流側にある流入口に上流側第３配管部３１ｃｕが接続され、下流側にある２つの流出口に下流側第３配管部３１ｃｄとバイパス配管１５２とが接続されている。給湯切替弁１５１は、制御部４１と接続されており、制御部４１により動作制御される。給湯切替弁１５１は、制御部４１から開度調整の信号を受けた際に弁開度を調節する。バイパス配管１５２は、一端が給湯切替弁１５１の流出口と接続されており、他端が混合弁３６の流入口と接続されている。
【００３７】
貯湯タンク側部２４には、第１取水口２３と、第２取水口１２３とが設けられている。第１中温水管３５は、一端が第１取水口２３と接続されており、他端がバイパス配管１５２と接続されている。また、第１中温水管３５には、閉から開に切り替わることにより第１取水口２３とバイパス配管１５２とを連通させる第１電磁弁１５３が設けられている。第１電磁弁１５３は、制御部４１に接続されており、制御部４１から開閉信号を受ける。
【００３８】
第２取水口１２３は、第１取水口２３よりも貯湯タンク側部２４の上方向に設けられている。第２中温水管１３５は、一端が第２取水口１２３と接続されており、他端がバイパス配管１５２と接続されている。第２中温水管１３５には、閉から開に切り替わることにより第２取水口１２３とバイパス配管１５２とを連通させる第２電磁弁１５４が設けられている。第２電磁弁１５４は、制御部４１に接続されており、制御部４１から開閉信号を受ける。
【００３９】
次に、貯湯式給湯装置１００での沸上運転の動作について説明する。沸上運転の初期段階で、制御部４１は、給湯切替弁１５１と混合弁３６とに開信号を出力して、熱交換器１２から上流側第３配管部３１ｃｕに流入した水を、バイパス配管１５２を介して第２配管部３１ｂに流入させる。第２配管部３１ｂへ流入した水は、熱交換器１２に流入して再度沸き上げられ、上流側第３配管部３１ｃｕへ流入する。制御部４１は、温度検出センサＴにより検出された水温が所定湯温度になるまで給湯切替弁１５１と混合弁３６とに開信号を出力し続ける。従って、運転開始直後に熱交換器１２により沸き上げられた低温の湯は、所定湯温度になるまで貯湯タンク２０上部へ流出しない。これにより、運転開始直後に熱交換器１２により沸き上げられた低温の湯が貯湯タンク上部２２に流入することに起因する湯層と水層との層境界の破壊を抑制し、貯湯タンク２０内の対流を抑制できるため、貯湯タンク下部２１に形成される水層の温度上昇を抑えることができる。ここで、所定湯温度とは、貯湯タンク２０内での温度成層の破壊が実質的に抑えられる温度を意味する。
【００４０】
次いで、制御部４１は、第２電磁弁１５４に開信号を出力して、第２取出口１２３から第２中温水管１３５に流入した中温水を混合弁３６へ流入させる。次に、制御部４１は、実施の形態１に示した混合弁３６の弁開度の制御を行い、混合弁３６に流入した中温水を循環回路３０に流入させて、温度検出センサＴにより検出される水温を基準値に近い温度にする。沸上運転の開始から時間が経過して温度検出センサＴにより検出される水温がある程度以上高くなると、制御部４１は、開信号を出力すべき電磁弁を第２電磁弁１５４から第１電磁弁１５３に切り替えて、実施の形態１に示した混合弁３６の弁開度の制御を行う。従って、貯湯式給湯装置１００は、沸上運転時に、貯湯タンク２０内の湯層の拡大に伴う貯湯タンク２０の上下方向での中温水層の位置変化に対応して中温水を引き抜くことができる。このため、１つの取出口から中温水を引き抜く場合と比較して、熱交換器１２に供給される水の温度を基準値Ｔｓ（図２参照）に維持する時間をより長く確保することができる。
【００４１】
なお、実施の形態２では、２つの取水口２３、１２３を設けているが、本発明はこれに限定されるものではなく、３つ以上の取水口を設けてもよい。また、第２配管部３１ｂに設けられた温度検出センサＴにより検出された水温を用いて給湯切替弁１５１、第１電磁弁１５３、第２電磁弁１５４の開閉を切り替えるタイミングを判断しているが、本発明はこれに限定するものではなく、例えば図１に示した温度検出センサＴ以外に別途第２配管部３１ｂに温度検出センサを設けてもよいし、上流側第３配管部３１ｃｕ及びバイパス配管１５２のいずれかに新たに温度検出センサを設けてもよい。
【産業上の利用可能性】
【００４２】
以上のように、本発明にかかる貯湯式給湯装置は、貯湯タンク内に中温水が生じた状態で沸上運転を行った際に生じるヒートポンプユニットの成績係数の低下を抑制することで沸上運転の消費電力量の上昇を抑制する貯湯式給湯装置に適用して好適である。
【図面の簡単な説明】
【００４３】
【図１】本発明にかかる貯湯式給湯装置の実施の形態１の構成図である。
【図２】水温とヒートポンプユニットの成績係数（ＣＯＰ）との関係の一例を示す図である。
【図３】沸上運転時の水温と積算消費電力量の関係の一例を示す図である。
【図４】本発明にかかる貯湯式給湯装置の実施の形態２の構成図である。
【符号の説明】
【００４４】
１,１００  貯湯式給湯装置
１２  熱交換器
２０  貯湯タンク
２１  貯湯タンク下部
２２  貯湯タンク上部
２３,１２３  取水口
２４  貯湯タンク側部
３０  循環回路
３１  配管部
３１ａ  第１配管部
３１ｂ  第２配管部
３１ｃ  第３配管部
３１ｃｕ  上流側第３配管部
３１ｃｄ  下流側第３配管部
３５  中温水管
３６  混合弁
３７  外部給水管
３８  外部給湯管
４０  制御装置
４１  制御部
４２  記憶部
１５１  給湯切替弁
１５２  バイパス配管
１５３  第１電磁弁
１５４  第２電磁弁
Ａ  ヒートポンプユニット
Ｂ  貯湯タンクユニット
Ｐ  循環ポンプ
Ｔ  温度検出センサ
【図１】
2009186065.tif 000003
【図２】
2009186065.tif 000004
【図３】
2009186065.tif 000005
【図４】
2009186065.tif 000006